(57)【要約】【課題】リム部の左右の斜め前方部における洗浄水の旋回方向の曲りを比較的緩やかにすることができ、リム吐水部から吐水された洗浄水がリム部に沿って流れるときの洗浄水の旋回性能を向上させることができる水洗大便器を提供する。【解決手段】本発明の水洗大便器１のボウル部２０のリム部１８は、リム部の外側において縦方向に延びる外縦壁３０と、リム部の内側において外縦壁から間隔を空けて縦方向に延びる内縦壁３２と、を備え、内縦壁３２の傾斜は、リム部の前端部よりも斜め前方部の方がボウル部の内方側に向き、且つリム部の斜め前方部よりも側部の方がボウル部の外方側に向くように形成されている。【選択図】図２
2018012995.tif 000002
【特許請求の範囲】
【請求項１】
洗浄水源から供給される洗浄水によって洗浄されて汚物を排出する水洗大便器であって、
ボウル形状の汚物受け面と、上記汚物受け面の外縁の上方に立ち上がるリム部と、を備えたボウル部と、
このボウル部の下部に接続され汚物を排出する排水トラップ管路と、
上記リム部に設けられて上記ボウル部内に洗浄水を吐水するリム吐水部と、を有し、
上記ボウル部の上記リム部は、
上記リム部の外側において縦方向に延びる外縦壁と、
上記リム部の内側において上記外縦壁から間隔を空けて縦方向に延び、上記リム吐水部から吐水された洗浄水を導く内縦壁と、を備え、
上記内縦壁の傾斜は、上記リム部の前端部よりも斜め前方部の方が上記ボウル部の内方側に向き、且つ上記リム部の斜め前方部よりも側部の方が上記ボウル部の外方側に向くように形成されていることを特徴とする水洗大便器。
【請求項２】
上記リム部は、上記斜め前方部における上記外縦壁と上記内縦壁との間の幅が、上記前端部における上記外縦壁と上記内縦壁との間の幅よりも小さく且つ上記側部における上記外縦壁と上記内縦壁との間の幅よりも小さくなるように形成されている、請求項１に記載の水洗大便器。
【請求項３】
上記リム部の上記前端部において、上記内縦壁の上面視における曲率半径と、上記外縦壁の曲率半径との比は、１：２〜２：１の範囲とされている、請求項１又は２に記載の水洗大便器。
【請求項４】
上記リム部の上記外縦壁及び上記内縦壁は、上記ボウル部の前方側において楕円形状を形成し、
上記リム部の上記前端部において、上記内縦壁の上面視における曲率半径は、上記外縦壁の曲率半径よりも大きくなるように形成されている、請求項３に記載の水洗大便器。
【発明の詳細な説明】
【技術分野】
【０００１】
本発明は、水洗大便器に係り、特に、洗浄水源から供給される洗浄水によって洗浄されて汚物を排出する水洗大便器に関する。
【背景技術】
【０００２】
従来から、特許文献１に示すように、リム部の下側の窪みをなくし清掃性を向上させるため、リム部の内周壁をほぼ垂直に形成するボウル部を備えた水洗大便器が知られている。この水洗大便器においては、洗浄水をスムーズに旋回させ十分な洗浄力を得るため、ボウル部の先端近傍をほぼ円形に近い形状として形成している。
【０００３】
また、特許文献２に示すように、リム部の縦壁の深さを深く形成することにより、リム部のオーバーハング部をなくし、リム部を垂直に形成する水洗大便器も知られている。
【先行技術文献】
【特許文献】
【０００４】
【特許文献１】特開２０１６−４１８８２号公報
【特許文献２】特開２００５−９８００３号公報
【発明の概要】
【発明が解決しようとする課題】
【０００５】
しかしながら、特許文献１及び２に示すような水洗大便器においても、また、水洗大便器の基本的な形状としても、ボウル部は、前後方向に縦長となるように、前方側がやや突出するような楕円形状を形成するので、ボウル部は、上面視で、リム部の前端部の曲りがきつく形成されることとなる。従って、洗浄水の旋回方向の水勢が強い場合には、リム部の前端部において洗浄水に急激な遠心力が作用し、洗浄水がリム部の左右の斜め前方部から便器本体外に流出又は飛散するおそれがあり、水勢が弱い場合には洗浄水が前端部の曲りに沿って汚物受け面の内側向きに流下してしまうという問題が生じる。
【０００６】
そこで、本発明は、上述した従来技術の問題を解決するためになされたものであり、リム部の前端部における洗浄水の旋回方向の曲りを比較的緩やかにすることができ、洗浄水の旋回方向の水勢が強い場合には洗浄水が便器本体外に流出又は飛散すること、又は水勢が弱い場合には洗浄水が曲りに沿って汚物受け面の内側向きに流下してしまうこと、を抑制することができ、リム吐水部から吐水された洗浄水がリム部に沿って流れるときの洗浄水の旋回性能を向上させることができる水洗大便器を提供することを目的としている。
【課題を解決するための手段】
【０００７】
上述した目的を達成するために、本発明は、洗浄水源から供給される洗浄水によって洗浄されて汚物を排出する水洗大便器であって、ボウル形状の汚物受け面と、汚物受け面の外縁の上方に立ち上がるリム部と、を備えたボウル部と、このボウル部の下部に接続され汚物を排出する排水トラップ管路と、リム部に設けられてボウル部内に洗浄水を吐水するリム吐水部と、を有し、ボウル部のリム部は、リム部の外側において縦方向に延びる外縦壁と、リム部の内側において外縦壁から間隔を空けて縦方向に延び、リム吐水部から吐水された洗浄水を導く内縦壁と、を備え、内縦壁の傾斜は、リム部の前端部よりも斜め前方部の方がボウル部の内方側に向き、且つリム部の斜め前方部よりも側部の方がボウル部の外方側に向くように形成されていることを特徴としている。
このように構成された本発明においては、内縦壁の傾斜は、リム部の前端部よりも斜め前方部の方がボウル部の内方側に向き、且つリム部の斜め前方部よりも側部の方がボウル部の外方側に向くように形成されているので、リム部の斜め前方部において内縦壁の下部が外方側に拡がるように形成され、リム部の前端部における洗浄水の旋回方向の曲りを比較的緩やかにすることができる。よって、洗浄水の旋回方向の水勢が強い場合には洗浄水が便器本体外に流出又は飛散すること、又は水勢が弱い場合には洗浄水が曲りに沿って汚物受け面の内側向きに流下してしまうこと、を抑制することができる。従って、リム吐水部から吐水された洗浄水がリム部に沿って流れるときの洗浄水の旋回性能を向上させることができる。
【０００８】
本発明において、好ましくは、リム部は、斜め前方部における外縦壁と内縦壁との間の幅が、前端部における外縦壁と内縦壁との間の幅よりも小さく且つ側部における外縦壁と内縦壁との間の幅よりも小さくなるように形成されている。
このように構成された本発明においては、リム部の斜め前方部における外縦壁と内縦壁との間の幅が前端部及び左右の側部におけるこれらの幅よりも小さくなるように形成されているので、リム部の斜め前方部における内縦壁が外方側に拡がるように形成され、リム部の前端部における洗浄水の旋回方向の曲りを比較的緩やかにすることができる。よって、洗浄水の旋回方向の水勢が強い場合には洗浄水が便器本体外に流出又は飛散すること、又は水勢が弱い場合には洗浄水が曲りに沿って汚物受け面の内側向きに流下してしまうこと、を抑制することができる。従って、リム吐水部から吐水された洗浄水がリム部に沿って流れるときの洗浄水の旋回性能を向上させることができる。また、リム部の斜め前方部における外縦壁と内縦壁との間の幅を小さく形成することにより、ボウル部の斜め前方部を広く見せることができ、座り小便時に使用者に安心感を与えると共に、小便跳ねを抑制することができる。これにより、使用者が安心して且つ清潔に水洗大便器を使用することができる。
【０００９】
本発明において、好ましくは、リム部の前端部において、内縦壁の上面視における曲率半径と、外縦壁の曲率半径との比は、１：２〜２：１の範囲とされている。
このように構成された本発明においては、リム部の斜め前方部において、内縦壁の曲率半径は、所定の比の範囲において、外縦壁の曲率半径より大きくなるように形成されているので、リム部の斜め前方部における内縦壁が外方側に拡がるように形成され、リム部の前端部における洗浄水の旋回方向の曲りを比較的緩やかにすることができる。よって、洗浄水の旋回方向の水勢が強い場合には洗浄水が便器本体外に流出又は飛散すること、又は水勢が弱い場合には洗浄水が曲りに沿って汚物受け面の内側向きに流下してしまうこと、を抑制することができる。従って、リム吐水部から吐水された洗浄水がリム部に沿って流れるときの洗浄水の旋回性能を向上させることができる。また、内縦壁の曲率半径を、所定の比の範囲において、外縦壁の曲率半径より大きくなるように形成することにより、ボウル部の斜め前方部を広く見せることができ、使用者が安心して且つ清潔に水洗大便器を使用することができる。
【００１０】
本発明において、好ましくは、リム部の外縦壁及び内縦壁は、ボウル部の前方側において楕円形状を形成し、リム部の前端部において、内縦壁の上面視における曲率半径は、外縦壁の曲率半径よりも大きくなるように形成されている。
このように構成された本発明においては、内縦壁の曲率半径は、外縦壁の曲率半径をオフセットせずに前端部の曲率半径が大きくなるように形成されているので、リム部の斜め前方部における内縦壁が外方側に拡がるように形成され、リム部の前端部における洗浄水の旋回方向の曲りを比較的緩やかにすることができる。よって、洗浄水の旋回方向の水勢が強い場合には洗浄水が便器本体外に流出又は飛散すること、又は水勢が弱い場合には洗浄水が曲りに沿って汚物受け面の内側向きに流下してしまうこと、を抑制することができる。従って、リム吐水部から吐水された洗浄水がリム部に沿って流れるときの洗浄水の旋回性能を向上させることができる。
【発明の効果】
【００１１】
本発明の水洗大便器によれば、リム部の前端部における洗浄水の旋回方向の曲りを比較的緩やかにすることができ、リム吐水部から吐水された洗浄水がリム部に沿って流れるときの洗浄水の旋回性能を向上させることができる。
【図面の簡単な説明】
【００１２】
【図１】本発明の一実施形態による水洗大便器の便器本体部分を斜め後方から見た状態を示す概略斜視図である。
【図２】図１に示す本発明の一実施形態による水洗大便器の概略平面図である。
【図３】本発明の一実施形態による水洗大便器における左右方向の中央断面を左側から見た断面図であり、便蓋及び便座を下方位置まで回動させた状態を示す。
【図４】図２のＩＶ−ＩＶ線に沿った断面図である。
【図５】図２のＶ−Ｖ線に沿った断面図である。
【図６】図２のＶＩ−ＶＩ線に沿った断面図である。
【図７】図２のＶＩＩ−ＶＩＩ線に沿った断面図である。
【発明を実施するための形態】
【００１３】
つぎに、図１〜図３を参照して、本発明の一実施形態による水洗大便器について説明する。
まず、図１は本発明の一実施形態による水洗大便器の便器本体部分を斜め後方から見た状態を示す概略斜視図であり、図２は図１に示す本発明の一実施形態による水洗大便器の概略平面図であり、図３は本発明の一実施形態による水洗大便器における左右方向の中央断面を左側から見た断面図であり、便蓋及び便座を下方位置まで回動させた状態を示す。以下、本発明の実施形態における説明において、便器本体２を使用する使用者側から見て手前側を前方側とし、使用者から見て奥側を後方側とし、便器本体２を前方（使用者側）から見て右側を右側とし、前方から見て左側を左側として説明している。
【００１４】
図１〜図３に示すように、本発明の一実施形態による水洗大便器１は、陶器製の便器本体２と、この便器本体２の上面に上下方向に回動可能に配置された便座４と、この便座４を覆うように上下方向に回動可能に配置された便蓋６と、便器本体２の後方に配置された機能部８とを備えている。
また、図３に示すように、機能部８は、便器本体２の後方上部に配置されて、使用者の局部を洗浄する衛生洗浄部として機能する衛生洗浄系機能部１０と、この衛生洗浄系機能部１０に近接して配置されて、便器本体２への給水機能に関与する給水系機能部１２とを備えている。
【００１５】
つぎに、図１〜図３に示すように、便器本体２は、ボウル形状の汚物受け面１４と、この汚物受け面１４の外縁の上方に立ち上がるリム部１８とを備えたボウル部２０を備えている。リム部１８は、後述する図４〜図７においても示すように、そのリム部１８の内周面がほぼ鉛直方向に立ち上がるように形成されている。リム部１８は、そのリム部の内周面の頂部を内側に大きく突出させるような一般的なオーバーハング形状を省略し、上方に向かってほぼ直線的に延びるようないわゆるオーバーハングの形状を省略したいわゆるフチなし形状を構成している。
また、図３に示すように、便器本体２は、ボウル部２０の下方に入口部２２ａが接続されて、ボウル部２０内の汚物を排出する排水路である排水トラップ管路２２を備えている。
汚物受け面１４は、汚物受け面１４の上部に周状（例えば一周にわたる帯状）に形成され且つリム吐水口２６から吐水された洗浄水が周方向に導水されやすくなることによりボウル部２０内に旋回流を形成させる導水路１５を形成している。
【００１６】
つぎに、図２に示すように、ボウル部２０は、便器本体２の前方から見てボウル部２０の前方側領域内の右側のリム部１８の内部には、リム吐水部の一部であるリム通水路２４が形成されている。また、このリム通水路２４の下流端には、リム吐水部の一部であるリム吐水口２６が形成されている。
さらに、図２に示すように、リム通水路２４の上流側は、洗浄水源である水道（図示せず）から供給される洗浄水をリム通水路２４に供給する導水管２８に接続されている。この導水管２８の上流側は、洗浄水源である水道（図示せず）に直結されており、この水道の給水圧力を利用して、導水管２８からリム通水路２４内に供給された洗浄水は、リム通水路２４内で前方へ導かれ、その後、内側且つ後方側に屈曲し、下流側のリム吐水口２６まで導かれるようになっている。
そして、リム吐水口２６に導かれた洗浄水は、後方に向けて吐水（リム吐水）され、リム吐水口２６の下流側近傍からボウル部２０内を旋回することにより、ボウル部２０内に旋回流が形成されるようになっている。
【００１７】
なお、本実施形態の水洗大便器１においては、リム吐水部であるリム通水路２４及びリム吐水口２６について、便器本体２の前方から見てボウル部２０の前方側領域内の右側のリム部１８の内部に配置した形態について説明するが、このような形態に限定されず、リム吐水口を便器本体２の前方から見てボウル部２０の前方側領域内の左側、又はボウル部２０の後方側領域内の右側、又はボウル部２０の後方側領域内の左側のリム部１８に配置してもよい。例えば、リム吐水口は、ボウル部２０の後方側領域内の左側のリム部１８に配置され、前方側に向かって導水路上に吐水するように配置されてもよい。また、リム吐水部であるリム通水路２４及びリム吐水口２６については、本実施形態のボウル部２０内の１か所に配置した形態に限られず、２カ所に配置されていてもよい。例えば、リム吐水口を、ボウル部２０の後方側領域内の左側の第一リム吐水口と、ボウル部２０の後方側領域内の右側の第二リム吐水口とにより形成してもよい。
また、本実施形態の水洗大便器１においては、リム吐水部であるリム通水路２４及びリム吐水口２６は、陶器を加工することで便器本体２に一体に形成されているが、例えば、樹脂等で便器本体２とは別体として形成し、樹脂等の通水路を便器本体２内に取り付ける構成としてもよい。
【００１８】
さらに、図２に示すように、ボウル部２０の下部において、排水トラップ管路２２の入口部２２ａに向けて差し向けられるように開口されたゼット吐水部３３が形成されている。ゼット吐水部３３は、ジェット噴流を吐水する吐水口部を形成している。ゼット吐水部３３は、貯水タンク３４（或いは給水源）とボウル部２０の下部の流路とを接続するゼット導水路３１の下流端部に形成されている。ゼット導水路３１の上流側が加圧ポンプ３６を介して貯水タンク３４に接続されている。ゼット導水路３１は、このような流路形状が陶器により形成されている。このゼット吐水部３３による吐水（ジェット吐水）に関しては、給水系機能部１２に設けられている貯水タンク３４に貯水された洗浄水が、給水系機能部１２の加圧ポンプ３６によって加圧されて、ゼット吐水部３３から吐出されるようになっている。
【００１９】
また、ゼット吐水部３３から吐出された洗浄水は、排水トラップ管路２２の入口部２２ａから、この入口部２２ａの後方側の上昇管路２２ｂ内に流入した後、この上昇管路２２ｂ内を排水トラップ管路２２の頂部２２ｃから下降管路２２ｄに流出するようになっている。
なお、ゼット導水路３１に洗浄水を給水する給水源としては、貯水タンク３４の他に、水道又は設備の給水圧力を利用する水道等であってもよい。給水系機能部１２の加圧ポンプ３６は省略されてもよい。例えば、水道直圧式の給水方式を採用する場合には、水道の給水圧力により加圧された水が供給されるため、加圧ポンプ３６は省略されてもよい。
【００２０】
ここで、衛生洗浄系機能部１０及び給水系機能部１２のそれぞれの具体的な構造については、従来のものと同様であるため、詳細な説明については省略するが、衛生洗浄系機能部１０には、ボウル部２０の上方の使用者に向けて洗浄水を噴射するノズル装置（図示せず）を含む局部洗浄装置（図示せず）が設けられている。
その他、衛生洗浄系機能部１０には、局部洗浄装置（図示せず）に供給される洗浄水を貯水する貯水部（図示せず）、この貯水部（図示せず）内の洗浄水を適温に温めて温水にする加熱器（図示せず）、換気ファン（図示せず）、脱臭ファン（図示せず）、温風ファン（図示せず）、及び、これらの機器の作動を制御するコントローラ（図示せず）等が設けられている。
一方、給水系機能部１２の給水路（図示せず）は、その上流側が給水源である水道（図示せず）に接続されており、貯水タンク（図示せず）の上流側の給水路には、定流量弁（図示せず）、電磁弁（図示せず）、貯水タンク（図示せず）への給水とリム吐水口２６への吐水とを切り替える切替弁（図示せず）等が設けられている。また、給水系機能部１２には、これら以外にも、電磁弁（図示せず）の開閉操作、切替弁（図示せず）の切替操作、及び、加圧ポンプ（図示せず）の回転数や作動時間等を制御するコントローラ（図示せず）等が設けられている。
【００２１】
なお、本実施形態による水洗大便器１においては、リム吐水口２６によるリム吐水について水道の給水圧力を利用して行い、ゼット吐水部３３によるジェット吐水について加圧ポンプ（図示せず）を制御することにより貯水タンク（図示せず）内の洗浄水を供給する、いわゆる、ハイブリット式の水洗大便器の形態について説明するが、このような形態に限られず、他の形態についても適用可能である。すなわち、他の形態として、水道のみから直接的に供給される洗浄水について、バルブを切り替えることによってリム吐水口２６によるリム吐水とゼット吐水部３３によるジェット吐水とを切り替えるような形態であってもよいし、貯水タンク内の洗浄水について、ポンプの下流のバルブを切り替えることによって、リム吐水口２６によるリム吐水とゼット吐水部３３によるジェット吐水とを切り替えるような形態であってもよい。また、ゼット吐水部を備えない水洗大便器や、サイホン作用が発生しない洗い落とし式の水洗大便器に本発明を適用することもできる。
【００２２】
つぎに、図１乃至図７を参照して、本発明の一実施形態による水洗大便器１のボウル部２０のリム部１８の詳細について説明する。
図４は図２のＩＶ−ＩＶ線に沿った断面図であり、図５は図２のＶ−Ｖ線に沿った断面図であり、図６は図２のＶＩ−ＶＩ線に沿った断面図であり、図７は図２のＶＩＩ−ＶＩＩ線に沿った断面図である。
【００２３】
ボウル部２０のリム部１８は、リム部１８の外側において縦方向に延びる外縦壁３０と、リム部１８の内側において外縦壁３０から間隔を空けて縦方向に延びる内縦壁３２と、を備えている。
【００２４】
リム部１８の外縦壁３０は、便器本体２の外面を形成するように上下方向に延びている縦壁を形成している。リム部１８の外縦壁３０は、ボウル部２０の前方側において便器本体２の後方から前方側に突出するような楕円形状を形成している。外縦壁３０は、楕円形状の弧の少なくとも一部を形成している。より具体的には、リム部１８の外縦壁３０は、上面視においてリム部１８の前端部１８ａから右側斜め前方部１８ｂを通って右側側部１８ｃまで、及び前端部１８ａから左側斜め前方部１８ｄを通って左側側部１８ｅまでの弧を合わせたような楕円形状を形成している。
【００２５】
ここで、リム部１８の前端部１８ａは、リム部１８の前端部分をいい、例えばリム部１８の前端側においてボウル部２０のボウル開口を左右に概ね二等分する前後方向軸線Ａ１と交差する部分の近傍部分をいう。リム部１８の右側側部１８ｃは、リム部１８の右側における側方部分をいい、例えばリム部１８の右側側方においてボウル部２０のボウル開口を前後に概ね二等分する左右方向軸線Ａ２と交差する部分の近傍部分をいう。リム部１８の左側側部１８ｅは、リム部１８の左側における側方部分をいい、例えばリム部１８の左側側方においてボウル部２０のボウル開口を前後に概ね二等分する左右方向軸線Ａ２と交差する部分の近傍部分をいう。
【００２６】
リム部１８の右側斜め前方部１８ｂは、リム部１８の右側における斜め前方部分をいい、例えばリム部１８の前端部１８ａと右側側部１８ｃとの間の中間部分をいう。また、別の言い方によれば、リム部１８の右側斜め前方部１８ｂは、前後方向軸線Ａ１と左右方向軸線Ａ２との交点を原点（中心点）Ｃとし、この原点Ｃを中心として、前後方向軸線Ａ１に対して下流側且つ前後方向軸線Ａ１からの中心角１５度〜４５度の範囲の領域Ｂにおいて形成されている。
また、リム部１８の左側斜め前方部１８ｄは、リム部１８の左側における斜め前方部分をいい、例えばリム部１８の前端部１８ａと左側側部１８ｅとの間の中間部分をいう。また、別の言い方によれば、リム部１８の左側斜め前方部１８ｄは、前後方向軸線Ａ１と左右方向軸線Ａ２との交点を原点（中心点）Ｃとし、この原点Ｃを中心として、前後方向軸線Ａ１に対して上流側且つ前後方向軸線Ａ１からの中心角１５度〜４５度の範囲の領域Ｂにおいて形成されている。
【００２７】
リム部１８の内縦壁３２は、ボウル部２０の前方側において楕円形状を形成している。内縦壁３２は、上面視において卵型の楕円形状を形成している。内縦壁３２は、外縦壁３０の内側において外縦壁３０よりも一回り小さい楕円形状を形成している。内縦壁３２は、楕円形状の弧の少なくとも一部を形成している。より具体的には、リム部１８の内縦壁３２は、上面視においてリム部１８の前端部１８ａから右側斜め前方部１８ｂを通って右側側部１８ｃまで、及び前端部１８ａから左側斜め前方部１８ｄを通って左側側部１８ｅまでの弧を合わせたような楕円形状を形成している。内縦壁３２は、上面視において前端部１８ａ側にやや突出するような楕円形状を形成していることから、前端部１８ａから右側斜め前方部１８ｂ又は左側斜め前方部１８ｄに至る内縦壁３２の曲り角度が全周の他の領域よりも大きく（例えば曲率半径が全周の他の領域よりも小さく）なるように形成されている。
【００２８】
図４乃至図７に示すように、内縦壁３２は、その基部３２ａ及び頂部３２ｂが外縦壁３０とは、独立して且つ離間して形成された縦壁を形成している。内縦壁３２の基部３２ａと、外縦壁３０とは横方向に延びるリム下方接続部３８により接続されている。また、内縦壁３２の頂部３２ｂと、外縦壁３０とは横方向に延びるリム上方接続部４０により接続されている。
内縦壁３２は、上面視において、リム部１８の全周のうち、少なくとも前端部１８ａ及び右側側部１８ｃ及び左側側部１８ｅにおいては、外縦壁３０とほぼ平行に形成されている。また、内縦壁３２及び外縦壁３０は、上面視において、リム部１８の全周のうち、少なくとも右側側部１８ｃ及び左側側部１８ｅにおいては、前後方向軸線Ａ１に対して右側部分と左側部分とが概ね左右対称となるように形成されている。また、内縦壁３２及び外縦壁３０は、上面視において、リム部１８の全周のうち、少なくとも右側側部１８ｃ及び左側側部１８ｅにおいては、前後方向軸線Ａ１に対して右側部分と左側部分とが概ね左右対称となるように形成されている。
なお、上面視において、リム部１８のうち、例えば右側側部１８ｃと左側側部１８ｅと、及び/又は、左側斜め前方部１８ｄと右側斜め前方部１８ｂとにおける内縦壁３２及び外縦壁３０が、前後方向軸線Ａ１に対して左右非対称となるように形成されていてもよい。
【００２９】
図２及び図４に示すように、前端部１８ａにおいて、内縦壁３２の上面視における曲率半径Ｒ１は、外縦壁３０の上面視における曲率半径Ｒ２より大きくなるように形成されている。（なお、図４に示すＲ１、Ｒ２は上面視における曲率半径を示すものである。）リム部１８の左側斜め前方部１８ｄ及び右側斜め前方部１８ｂにおいて、内縦壁３２の曲率半径Ｒ１と、外縦壁３０の曲率半径Ｒ２との比は、１：２〜２：１の範囲とされている。
【００３０】
従来の水洗大便器においてはリム部１８の前端部１８、左側斜め前方部１８ｄ及び右側斜め前方部１８ｂに該当する領域は、楕円形のリム部１８の旋回方向の曲りがきつく（急激に）なりやすく、洗浄水の旋回方向の水勢が強い場合には洗浄水が便器本体外に流出又は飛散すること、又は水勢が弱い場合には洗浄水が曲りに沿って汚物受け面の内側向きに流下してしまうこと、が発生しやすい領域となっていた。これに対し、本発明においては、リム部１８の左側斜め前方部１８ｄ及び右側斜め前方部１８ｂにおいて、リム部１８の内縦壁３２の曲率半径Ｒ１が比較的大きくされ、旋回方向の湾曲が緩やかに形成されているので、旋回流がリム部１８に沿って流れやすくなっている。従って、洗浄水の旋回方向の水勢が強い場合や水勢が弱い場合においても、洗浄水をリム部１８に沿って旋回させやすくすることができる。また、リム部１８の左側斜め前方部１８ｄと右側斜め前方部１８ｂとの間の便器本体２の左右方向の横幅が広げられるように形成されている。
【００３１】
内縦壁３２は、汚物受け面１４の上縁に接続された基部３２ａから上方に立ち上がる縦壁を形成している。内縦壁３２は、平坦な壁面に限られず、複数の平面が接合された壁面であってもよく、また、湾曲された曲面を含んでいてもよい。内縦壁３２の上部の上部内縦壁３２ｃは、リム部１８の前端部１８ａから左右の斜め前方部（左側斜め前方部１８ｄ及び右側斜め前方部１８ｂ）にかけて縦壁の鉛直線Ｖ（鉛直方向の線）からの傾斜が大きくなり、且つ上記リム部１８の左側斜め前方部１８ｄ及び右側斜め前方部１８ｂから左側側部１８ｅ及び右側側部１８ｃにかけて縦壁の鉛直線Ｖからの傾斜が小さくなるように形成されている。
【００３２】
内縦壁３２の上部内縦壁３２ｃは、リム部１８の前端部１８ａにおいては、鉛直線Ｖからの傾斜角度がα１度となるように形成されている。リム部１８の前端部１８ａの内縦壁３２の傾斜角度α１は、−５度〜１０度の範囲とされている（なお、本明細書においては、ボウル部２０の上方に向かって内方に傾いた傾斜角度を正の傾斜角度、外方に傾いた傾斜角度を負の傾斜角度としている。即ち、傾斜角度＝０（鉛直）は負の傾斜角度よりもボウル部の内方側に向いており、正の傾斜角度は傾斜角度＝０よりもボウル部の内方側に向いている。）。内縦壁３２又は上部内縦壁３２ｃの傾斜角度は、縦壁の中央近傍の接線の角度又は縦壁の上端と下端とを結ぶ線の角度等により規定されることができる。
内縦壁３２の上部内縦壁３２ｃは、リム部１８の右側斜め前方部１８ｂにおいては、鉛直線Ｖからの傾斜角度がα２度となるように形成されている。リム部１８の右側斜め前方部１８ｂの内縦壁３２の傾斜角度α２は、−４度〜２５度の範囲とされている。内縦壁３２の上部内縦壁３２ｃは、リム部１８の右側側部１８ｃにおいては、鉛直線Ｖからの傾斜角度がα３度となるように形成されている。リム部１８の右側側部１８ｃの内縦壁３２の傾斜角度α３は、−５度〜２０度の範囲とされている。
内縦壁３２及び外縦壁３０は、上面視において、左側斜め前方部１８ｄと右側斜め前方部１８ｂと、及び右側側部１８ｃと左側側部１８ｅとに関して、前後方向軸線Ａ１に対して右側部分と左側部分とが概ね左右対称となるように形成されている。従って、内縦壁３２の上部内縦壁３２ｃは、リム部１８の左側斜め前方部１８ｄにおいては、鉛直線Ｖからの傾斜角度がα２度となるように形成されている。内縦壁３２の上部内縦壁３２ｃは、リム部１８の左側側部１８ｅにおいては、鉛直線Ｖからの傾斜角度がα３度となるように形成されている。なお、内縦壁３２の上部内縦壁３２ｃは、リム部１８のリム吐水口２６の近傍においては、鉛直線Ｖからの傾斜角度がα４度となるように形成されている。リム部１８のリム吐水口２６の近傍の内縦壁３２の傾斜角度α４は、−５度〜１０度の範囲とされている。
【００３３】
ここで、リム部１８の前端部１８ａの内縦壁３２の上部内縦壁３２ｃの傾斜角度α１とリム部１８の右側斜め前方部１８ｂの内縦壁３２の上部内縦壁３２ｃの傾斜角度α２との角度の差（α２−α１）は、１度〜３０度の範囲とされている。また、リム部１８の右側側部１８ｃの内縦壁３２の上部内縦壁３２ｃの傾斜角度α３とリム部１８の右側斜め前方部１８ｂの内縦壁３２の上部内縦壁３２ｃの傾斜角度α２との角度の差（α２−α３）は、１度〜３０度の範囲とされている。また、リム部１８のリム吐水口２６の近傍の内縦壁３２の傾斜角度α４とリム部１８の右側斜め前方部１８ｂの内縦壁３２の上部内縦壁３２ｃの傾斜角度α２との角度の差（α２−α４）は、１度〜３０度の範囲とされている。
【００３４】
内縦壁３２の上部内縦壁３２ｃは、前端部１８ａにおいて、上部内縦壁３２ｃの頂部３２ｂがその上部内縦壁基部３２ｄに対して内側向きにＬ１ｍｍの長さだけ突出するように形成されている。また、内縦壁３２の上部内縦壁３２ｃは、左側斜め前方部１８ｄ及び右側斜め前方部１８ｂにおいて、上部内縦壁３２ｃの頂部３２ｂがその上部内縦壁基部３２ｄに対して内側向きにＬ２ｍｍの長さだけ突出するように形成されている。また、内縦壁３２の上部内縦壁３２ｃは、左側側部１８ｅ及び右側側部１８ｃにおいて、上部内縦壁３２ｃの頂部３２ｂがその上部内縦壁基部３２ｄに対して内側向きにＬ３ｍｍの長さだけ突出するように形成されている。また、内縦壁３２の上部内縦壁３２ｃは、リム吐水口２６の近傍においては、上部内縦壁３２ｃの頂部３２ｂがその上部内縦壁基部３２ｄに対して内側向きにＬ４ｍｍの長さだけ突出するように形成されている。左側斜め前方部１８ｄ及び右側斜め前方部１８ｂにおける上部内縦壁３２ｃの頂部３２ｂの突出長さＬ２は、前端部１８ａにおける上部内縦壁３２ｃの頂部３２ｂの突出長さＬ１より大きくなるように形成されている。また、左側斜め前方部１８ｄ及び右側斜め前方部１８ｂにおける上部内縦壁３２ｃの頂部３２ｂの突出長さＬ２は、リム吐水口２６の近傍における上部内縦壁３２ｃの頂部３２ｂの突出長さＬ４及び、左側側部１８ｅ及び右側側部１８ｃにおける上部内縦壁３２ｃの頂部３２ｂの突出長さＬ３より大きくなるように形成されている。
【００３５】
さらに、リム部１８は、リム部１８の左側斜め前方部１８ｄ及び右側斜め前方部１８ｂにおける外縦壁３０と内縦壁３２の上部内縦壁３２ｃとの間の幅Ｗ２が、リム部１８の前端部１８ａにおける外縦壁３０と内縦壁３２の上部内縦壁３２ｃとの間の幅Ｗ１よりも小さくなるように形成されている。また、リム部１８は、リム部１８の左側斜め前方部１８ｄ及び右側斜め前方部１８ｂにおける外縦壁３０と内縦壁３２との間の幅Ｗ２が、リム部１８のリム吐水口２６の近傍における外縦壁３０と内縦壁３２の上部内縦壁３２ｃとの間の幅Ｗ４よりも小さくなるように形成されている。また、リム部１８は、リム部１８の左側斜め前方部１８ｄ及び右側斜め前方部１８ｂにおける外縦壁３０と内縦壁３２の上部内縦壁３２ｃとの間の幅Ｗ２が、リム部１８の右側側部１８ｃ及び左側側部１８ｅにおける外縦壁３０と内縦壁３２との間の幅Ｗ３よりも小さくなるように形成されている。
ここで、リム部１８の前端部１８ａの幅Ｗ１とリム部１８の右側斜め前方部１８ｂ及び左側斜め前方部１８ｄの幅Ｗ２との幅の差（Ｗ１−Ｗ２）は、０ｍｍ〜１０ｍｍの範囲とされている。また、リム部１８の右側側部１８ｃ及び左側側部１８ｅの幅Ｗ３とリム部１８の右側斜め前方部１８ｂ及び左側斜め前方部１８ｄの幅Ｗ２との幅の差（Ｗ３−Ｗ２）は、０ｍｍ〜１０ｍｍの範囲とされている。また、リム部１８のリム吐水口２６の近傍の幅Ｗ４とリム部１８の右側斜め前方部１８ｂ及び左側斜め前方部１８ｄの幅Ｗ２との幅の差（Ｗ４−Ｗ２）は、０ｍｍ〜１０ｍｍの範囲とされている。
【００３６】
つぎに、図１〜図７を参照して、本発明の一実施形態による水洗大便器の動作（作用）について説明する。
使用者が、便器使用後に、例えば、大洗浄用の操作ボタン（図示せず）を押すと、この操作ボタン（図示せず）からの信号がコントローラ（図示せず）に送信され、水洗大便器１の大洗浄用の洗浄動作が開始される。
使用者が操作ボタン（図示せず）を操作すると、コントローラは洗浄水を水道等の給水源から導水管２８、リム通水路２４を通過させ、リム吐水口２６から吐出させる。
【００３７】
リム吐水口２６から吐出される洗浄水は、矢印Ｆ１に示すように、リム吐水口２６から導水路１５上に吐水される。矢印Ｆ２に示すように、リム吐水口２６から吐水された洗浄水は、導水路１５上を周回するような向き（リム部１８内を内縦壁３２に沿うように一周するような向き）で導水路１５上に周回流（旋回流）を形成する。このような周回流は、リム部１８の内縦壁３２の内周に沿う流れとして形成される。矢印Ｆ３に示すように、洗浄水が導水路１５上の周回流から徐々に内側の汚物受け面１４に流下することにより、汚物受け面１４の中心に向かって螺旋状に集束するような旋回流を形成することができる。
【００３８】
矢印Ｆ４に示すように、内縦壁３２に沿うように流れる洗浄水が、左側側部１８ｅから左側斜め前方部１８ｄに流れるときは、左側側部１８ｅの内縦壁３２の鉛直方向からの傾斜よりも左側斜め前方部１８ｄの内縦壁３２の鉛直方向からの傾斜が大きくなるように形成されている。従って、左側斜め前方部１８ｄにおいて内縦壁３２の下部が外方側に拡がるように形成され、左側側部１８ｅから左側斜め前方部１８ｄにかけてのリム部１８の内縦壁３２の曲りの曲率半径を比較的大きくすることができ、且つ左側斜め前方部１８ｄにおける洗浄水の旋回方向の曲りを比較的緩やかにすることができる。よって、内縦壁３２に沿って流れる洗浄水が、導水路１５及び内縦壁３２の急な曲りにより、洗浄水の旋回方向の水勢が強い場合には洗浄水が便器本体２外に流出又は飛散すること、又は水勢が弱い場合には洗浄水が曲りに沿って汚物受け面１４中心側に流下してしまうこと、を抑制することができ、リム吐水口２６から吐水された洗浄水がリム部１８に沿って周回しやすくなり、洗浄水の旋回性能を向上させることができる。洗浄水の旋回性能が向上されることにより、洗浄水が汚物受け面１４を旋回するように洗浄することができるため、汚物受け面１４の洗浄能力が向上されることができる。ひいては便器本体２の汚物の排出性能が向上される。
【００３９】
内縦壁３２に沿って流れる洗浄水が、左側斜め前方部１８ｄから前端部１８ａに流れるときは、前端部１８ａの内縦壁３２の鉛直方向からの傾斜よりも左側斜め前方部１８ｄの内縦壁３２の鉛直方向からの傾斜が大きくなるように形成されているので、左側斜め前方部１８ｄにおいて内縦壁３２の下部が外方側に拡がるように形成され、左側斜め前方部１８ｄから前端部１８ａにかけてのリム部１８の内縦壁３２の曲りの曲率半径を比較的大きくすることができ、且つ左側斜め前方部１８ｄにおける洗浄水の旋回方向の曲りを比較的緩やかにすることができる。よって、内縦壁３２に沿って流れる洗浄水が、導水路１５及び内縦壁３２の急な曲りにより、洗浄水の旋回方向の水勢が強い場合には洗浄水が便器本体２外に流出又は飛散すること、又は水勢が弱い場合には洗浄水が曲りに沿って汚物受け面１４中心側に流下してしまうこと、を抑制することができ、リム吐水口２６から吐水された洗浄水がリム部１８に沿って周回しやすくなり、洗浄水の旋回性能を向上させることができる。
【００４０】
矢印Ｆ５に示すように、内縦壁３２に沿って流れる洗浄水は、前端部１８ａ近傍を通過して右側斜め前方部１８ｂに向かって流れる。
矢印Ｆ６に示すように、内縦壁３２に沿って流れる洗浄水が、前端部１８ａから右側斜め前方部１８ｂに流れるときは、前端部１８ａの内縦壁３２の鉛直方向からの傾斜よりも右側斜め前方部１８ｂの内縦壁３２の鉛直方向からの傾斜が大きくなるように形成されている。従って、右側斜め前方部１８ｂにおいて内縦壁３２の下部が外方側に拡がるように形成され、前端部１８ａから右側斜め前方部１８ｂにかけての内縦壁３２の曲りの曲率半径を比較的大きくすることができ、且つ右側斜め前方部１８ｂにおける洗浄水の旋回方向の曲りを比較的緩やかにすることができる。よって、内縦壁３２に沿って流れる洗浄水が、導水路１５及び内縦壁３２の急な曲りにより、洗浄水の旋回方向の水勢が強い場合には洗浄水が便器本体２外に流出又は飛散すること、又は水勢が弱い場合には洗浄水が曲りに沿って汚物受け面１４の中心側に流下してしまうこと、を抑制することができ、リム吐水口２６から吐水された洗浄水がリム部１８の内縦壁３２に沿って周回しやすくなり、洗浄水の旋回性能を向上させることができる。洗浄水の旋回性能が向上されることにより、洗浄水が汚物受け面１４を旋回するように洗浄することができるため、汚物受け面１４の洗浄能力が向上されることができる。ひいては便器本体２の汚物の排出性能が向上される。
【００４１】
さらに、矢印Ｆ７に示すように、内縦壁３２に沿って流れる洗浄水が、右側斜め前方部１８ｂから右側側部１８ｃに流れるときは、右側側部１８ｃの内縦壁３２の鉛直方向からの傾斜よりも右側斜め前方部１８ｂの内縦壁３２の鉛直方向からの傾斜が大きくなるように形成されているので、右側斜め前方部１８ｂにおいて内縦壁３２の下部が外方側に拡がるように形成され、右側斜め前方部１８ｂから右側側部１８ｃにかけてのリム部１８の内縦壁３２の曲りの曲率半径を比較的大きくすることができ、且つ右側斜め前方部１８ｂにおける洗浄水の旋回方向の曲りを比較的緩やかにすることができる。よって、内縦壁３２に沿って流れる洗浄水が、導水路１５及び内縦壁３２の急な曲りにより、洗浄水の旋回方向の水勢が強い場合には洗浄水が便器本体２外に流出又は飛散すること、又は水勢が弱い場合には洗浄水が曲りに沿って汚物受け面１４の中心側に流下してしまうこと、を抑制することができ、リム吐水口２６から吐水された洗浄水がリム部１８に沿って周回しやすくなり、洗浄水の旋回性能を向上させることができる。洗浄水の旋回性能が向上されることにより、洗浄水が汚物受け面１４を旋回するように洗浄することができるため、汚物受け面１４の洗浄能力が向上されることができる。ひいては便器本体２の汚物の排出性能が向上される。
【００４２】
洗浄水は、内縦壁３２に沿って周回しようとする中で、徐々に内側の汚物受け面１４に流下し、汚物受け面１４の中心に向かって集束するような旋回流を形成する。汚物受け面１４を流下した洗浄水は、溜水部１７に流下され、排水トラップ管路２２内に流入する。前後して、コントローラにより作動された加圧ポンプ３６によりゼット吐水部３３から吐出された洗浄水が排水トラップ管路２２内に流入し、排水トラップ管路２２を満水にしてサイホン現象を引き起こす。このサイホン現象により、ボウル部２０内の溜水及び汚物は、排水トラップ管路２２に吸引され、下流側の排水管（図示せず）から排出される。
便器本体２に洗浄水が供給されてから所定時間経過後、コントローラ（図示せず）は、リム吐水口２６からの吐水を終了させ、加圧ポンプ３６の作動を停止させ、ゼット吐水部３３からの吐水も停止させ、一連の洗浄動作が終了する。
【００４３】
つぎに、上述した本発明の一実施形態による水洗大便器１における作用について説明する。
まず、本実施形態による水洗大便器１によれば、内縦壁３２は、リム部１８の前端部１８ａから左側斜め前方部１８ｄ及び/又は右側斜め前方部１８ｂにかけて縦壁の鉛直方向からの傾斜が大きくなり（内縦壁３２の傾斜が、前端部１８ａよりも左側斜め前方部１８ｄ及び右側斜め前方部１８ｂの方がボウル部２０の内方側に向いている）、且つリム部１８の左側斜め前方部１８ｄ及び/又は右側斜め前方部１８ｂから左側側部１８ｅ及び/又は右側側部１８ｃにかけて縦壁の鉛直方向からの傾斜が小さくなる（内縦壁３２の傾斜が、左側斜め前方部１８ｄ及び右側斜め前方部１８ｂよりも左側側部１８ｅ及び右側側部１８ｃの方が夫々ボウル部２０の外方側に向いている）ように形成されているので、リム部１８の左側斜め前方部１８ｄ及び/又は右側斜め前方部１８ｂにおいて内縦壁３２の下部が外方側に拡がるように形成され、リム部１８の左側斜め前方部１８ｄ及び/又は右側斜め前方部１８ｂにおける洗浄水の旋回方向の曲りを比較的緩やかにすることができる。よって、洗浄水の旋回方向の水勢が強い場合には洗浄水が便器本体２外に流出又は飛散すること、又は水勢が弱い場合には洗浄水が曲りに沿って汚物受け面１４の内側向きに流下してしまうこと、を抑制することができる。従って、リム吐水口２６から吐水された洗浄水がリム部１８に沿って流れるときの洗浄水の旋回性能を向上させることができる。
【００４４】
つぎに、本実施形態による水洗大便器１によれば、リム部１８の左側斜め前方部１８ｄ及び/又は右側斜め前方部１８ｂにおける外縦壁３０と内縦壁３２との間の幅Ｗ２が前端部１８ａ及び左側側部１８ｅ及び/又は右側側部１８ｃにおけるこれらの幅（Ｗ１，Ｗ３）よりも小さくなるように形成されているので、リム部１８の左側斜め前方部１８ｄ及び/又は右側斜め前方部１８ｂにおける内縦壁３２が外方側に拡がるように形成され、リム部１８の左側斜め前方部１８ｄ及び/又は右側斜め前方部１８ｂにおける洗浄水の旋回方向の曲りを比較的緩やかにすることができる。よって、洗浄水の旋回方向の水勢が強い場合には洗浄水が便器本体２外に流出又は飛散すること、又は水勢が弱い場合には洗浄水が曲りに沿って汚物受け面１４の内側向きに流下してしまうこと、を抑制することができる。従って、リム吐水口２６から吐水された洗浄水がリム部１８に沿って流れるときの洗浄水の旋回性能を向上させることができる。
また、リム部１８の左側斜め前方部１８ｄ及び/又は右側斜め前方部１８ｂにおける外縦壁３０と内縦壁３２との間の幅を小さく形成することにより、ボウル部２０の左側斜め前方部１８ｄ及び/又は右側斜め前方部１８ｂを広く見せることができ、使用者が安心して且つ清潔に水洗大便器１を使用することができる。
【００４５】
また、本実施形態による水洗大便器１によれば、内縦壁３２の上面視における曲率半径Ｒ１は、リム部１８の前端部１８ａにおいて、外縦壁３０の上面視における曲率半径Ｒ２より大きくなるように形成されているので、リム部１８の左側斜め前方部１８ｄ及び/又は右側斜め前方部１８ｂにおける内縦壁３２が外方側に拡がるように形成され、リム部１８の左側斜め前方部１８ｄ及び/又は右側斜め前方部１８ｂにおける洗浄水の旋回方向の曲りを比較的緩やかにすることができる。よって、洗浄水の旋回方向の水勢が強い場合には洗浄水が便器本体２外に流出又は飛散すること、又は水勢が弱い場合には洗浄水が曲りに沿って汚物受け面１４の内側向きに流下してしまうこと、を抑制することができる。従って、リム吐水口２６から吐水された洗浄水がリム部１８に沿って流れるときの洗浄水の旋回性能を向上させることができる
また、内縦壁３２の曲率半径Ｒ１を外縦壁３０の曲率半径Ｒ２より大きくなるように形成することにより、ボウル部２０の左右の斜め前方部を広く見せることができ、使用者が安心して且つ清潔に水洗大便器１を使用することができる。
【００４６】
さらに、本実施形態による水洗大便器１によれば、リム部１８の前端部１８ａにおいて、内縦壁３２の曲率半径Ｒ１は、所定の比の範囲において、外縦壁３０の曲率半径Ｒ２より大きくなるように形成されているので、リム部１８の左右の斜め前方部における内縦壁３２が外方側に拡がるように形成され、リム部１８の左側斜め前方部１８ｄ及び/又は右側斜め前方部１８ｂにおける洗浄水の旋回方向の曲りを比較的緩やかにすることができる。よって、洗浄水の旋回方向の水勢が強い場合には洗浄水が便器本体２外に流出又は飛散すること、又は水勢が弱い場合には洗浄水が曲りに沿って汚物受け面１４の内側向きに流下してしまうこと、を抑制することができる。従って、リム吐水口２６から吐水された洗浄水がリム部１８に沿って流れるときの洗浄水の旋回性能を向上させることができる。
また、内縦壁３２の曲率半径Ｒ１を、所定の比の範囲において、外縦壁３０の曲率半径Ｒ２より大きくなるように形成することにより、ボウル部２０の左右の斜め前方部を広く見せることができ、使用者が安心して且つ清潔に水洗大便器１を使用することができる。
【符号の説明】
【００４７】
１          水洗大便器
２          便器本体
４          便座
６          便蓋
８          機能部
１０        衛生洗浄系機能部
１２        給水系機能部
１４        汚物受け面
１５        導水路
１７        溜水部
１８        リム部
１８ａ      前端部
１８ｂ      右側斜め前方部
１８ｃ      右側側部
１８ｄ      左側斜め前方部
１８ｅ      左側側部
２０        ボウル部
２２        排水トラップ管路
２２ａ      入口部
２２ｂ      上昇管路
２２ｃ      頂部
２２ｄ      下降管路
２４        リム通水路
２６        リム吐水口
２８        導水管
３０        外縦壁
３１        ゼット導水路
３２        内縦壁
３２ａ      基部
３２ｂ      頂部
３２ｃ      上部内縦壁
３２ｄ      上部内縦壁基部
３３        ゼット吐水部
３４        貯水タンク
３６        加圧ポンプ
３８        リム下方接続部
４０        リム上方接続部
Ａ１        前後方向軸線
Ａ２        左右方向軸線
Ｂ          領域
Ｃ          原点
Ｆ１        矢印
Ｆ２        矢印
Ｆ３        矢印
Ｆ４        矢印
Ｆ５        矢印
Ｆ６        矢印
Ｆ７        矢印
Ｒ１        曲率半径
Ｒ２        曲率半径
Ｖ          鉛直線
Ｗ１        幅
Ｗ２        幅
Ｗ３        幅
Ｗ４        幅
α１        傾斜角度
α２        傾斜角度
α３        傾斜角度
α４        傾斜角度
【図１】
2018012995.tif 000003
【図２】
2018012995.tif 000004
【図３】
2018012995.tif 000005
【図４】
2018012995.tif 000006
【図５】
2018012995.tif 000007
【図６】
2018012995.tif 000008
【図７】
2018012995.tif 000009